(57)【要約】【課題】  カメラの内部から発生するノイズ音による音質の低下を防ぐ。【解決手段】  カメラ内部に設けられたアイリス用モータ及びフォーカス用モータが発する駆動音のレベル（それぞれアイリス音レベル、フォーカス音レベルと呼ぶ）を製造段階においてカメラの内蔵メモリに記録しておく。カメラの周囲から発される環境音のうち、撮影直前に取得したものを第１環境音とし、この音のレベルを第１環境音レベルとする。第１環境音レベルとアイリス音レベルを比較し、第１環境音が大きいときに撮影時にアイリス用モータを駆動可とし、第１環境音が小さいときに撮影時にアイリス用モータを駆動不可とする。フォーカス用モータも同様に音レベルの比較に基づいて駆動状態を決定される。【選択図】        図２
2005253010.tif 000002
【特許請求の範囲】
【請求項１】
撮影と同時に環境音の録音が可能であり、撮影時にモータの駆動によって作動する制御装置を備えた動画撮影可能なカメラにおいて、
環境音の音量を測定する音量レベル測定手段と、
音量レベル測定手段で測定された環境音が予め設定された音量レベル以下であるか否かを判定する音量レベル判定手段と、
環境音の音量が予め設定された音量レベル以下であるときに前記モータの駆動を停止させるモータ制御手段とを備えたことを特徴とするカメラ。
【請求項２】
前記モータ制御手段は、環境音の音量が予め設定された音量レベルを超えたときに前記モータの駆動を許容することを特徴とする請求項１記載のカメラ。
【請求項３】
前記制御装置は撮影レンズの絞り又はフォーカスを制御する制御装置であり、前記予め設定された音量レベルが、絞り又はフォーカスを調節するときに駆動されるモータの駆動音レベルに応じて決められていることを特徴とする請求項１又は２記載のカメラ。
【請求項４】
前記制御装置はそれぞれ個別のモータとともに複数種類設けられ、前記音量レベル判定手段はそれぞれの種類ごとに設定された複数の音量レベルと環境音の音量とを比較することを特徴とする請求項１ないし３いずれか一つ記載のカメラ。
【請求項５】
前記音量レベル測定手段と音量レベル判定手段は、撮影が行われているか否かに係わらずカメラの電源がオン状態であるときに所定の時間間隔で動作することを特徴とする請求項１ないし４いずれか一つ記載のカメラ。
【発明の詳細な説明】
【技術分野】
【０００１】
本発明は、動画撮影可能なカメラに関するものである。
【背景技術】
【０００２】
最近では、静止画だけでなく動画も撮影できるようにしたカメラが商品化されている。カメラには、録音機能が搭載されており、撮影時において周囲の音をマイクから取得して記録することが可能である。カメラの操作者は、例えば被撮影者の音声等のみの取得を望むが、実際には様々なノイズ音を拾ってしまう。これらのノイズ音は、カメラの周囲から発される場合もあるし、カメラの内部から発される場合もある。
【０００３】
カメラの内部から発されるノイズ音は、例えばアイリス制御装置及びフォーカス制御装置等が発する駆動音である。これらの駆動音は、他のノイズ音に比べ、マイクの近くから発されるため、記録する音の質を低下させやすい。
【０００４】
カメラの内部から発されるノイズ音を抑制するため、前記各制御装置を防音材で囲うことが考えられるが、構造が複雑化して重量が増加してしまう。特許文献１では、小型、軽量な消音手段を用いてノイズ音を抑制することが提案されている。特許文献１では、駆動音等のノイズ音の発生源付近に、専用マイクを設置している。専用マイクからノイズ音を取得し、このノイズ音をもとにノイズ補正信号を作成している。ノイズ補正信号を音声信号に加算することでノイズを除去することができる。
【０００５】
【特許文献１】特開平７−２４０８６４
【発明の開示】
【発明が解決しようとする課題】
【０００６】
しかしながら、特許文献１では、専用のマイクが必要となる。専用のマイクを取り付けると、カメラの構造が複雑になる。また、専用のマイクを取り付けるには、配置スペースを確保しなければならないが、小型のカメラには難しい。
【０００７】
そこで、本発明は、カメラの構造を複雑化したり大型化することなく、カメラの内部から発生するノイズ音による音質の低下を防ぐことを目的とする。
【課題を解決するための手段】
【０００８】
本発明は、撮影と同時に環境音の録音が可能であり、撮影時にモータの駆動によって作動する制御装置を備えた動画撮影可能なカメラに関し、環境音の音量を測定する音量レベル測定手段と、音量レベル測定手段で測定された環境音が予め設定された音量レベル以下であるか否かを判定する音量レベル判定手段と、環境音の音量が予め設定された音量レベル以下であるときに前記モータの駆動を停止させるモータ制御手段とを備えたことを特徴とする。これにより、環境音の音量が予め設定された音量レベル以下のときには前記モータは駆動されず、モータの駆動音は発生しない。
【０００９】
前記モータ制御手段は、環境音の音量が予め設定された音量レベルを超えたときに前記モータの駆動を許容することが好ましい。これにより、環境音の音量が予め設定された音量レベルを超えたときには、モータを駆動することができる。
【００１０】
前記制御装置は撮影レンズの絞り又はフォーカスを制御する制御装置であり、前記予め設定された音量レベルが、絞り又はフォーカスを調節するときに駆動されるモータの駆動音レベルに応じて決められていることが好ましい。さらには、前記予め設定された音量レベルをモータの駆動音レベルと同じ程度のレベルにするとよい。
【００１１】
前記制御装置はそれぞれ個別のモータとともに複数種類設けられ、前記音量レベル判定手段はそれぞれの種類ごとに設定された複数の音量レベルと環境音の音量とを比較することを特徴とすることが好ましい。また、前記音量レベル測定手段と音量レベル判定手段は、撮影が行われているか否かに係わらずカメラの電源がオン状態であるときに所定の時間間隔で動作することが好ましい。
【発明の効果】
【００１２】
本発明は、環境音の音量を測定する音量レベル測定手段と、音量レベル測定手段で測定された環境音が予め設定された音量レベル以下であるか否かを判定する音量レベル判定手段と、環境音の音量が予め設定された音量レベル以下であるときにモータの駆動を停止させるモータ制御手段とを備えているため、周囲の環境が静かなときにはモータは駆動されずに駆動音は発生されない。カメラの構造を複雑化したり大型化することなく、カメラの内部から発生するノイズ音による音質の低下を防ぐことができる。
【００１３】
モータ制御手段は、環境音の音量が予め設定された音量レベルを超えたときに前記モータの駆動を許容するため、大きな環境音が取得されたときにモータを駆動することができる。モータの駆動に伴い発生するモータの駆動音は大きな環境音に比べ目立たないものとなる。このモータが、絞り又はフォーカスを調節するときに駆動されるモータである場合には、撮影中における画質の低下を最小限に抑えることができる。
【発明を実施するための最良の形態】
【００１４】
［第１実施形態］
図１に示すように、デジタルカメラ２には、操作部３が設けられている。操作部３は、電源スイッチ４、レリーズボタン５、各種設定ボタン６、モード切換えスイッチ７を有している。モード切換えスイッチ７は、動画モード／静止画モード／再生モードを切換える際に用いられる。操作部３を操作すると、その情報が信号としてシステム制御部１１へ送られる。
【００１５】
アイリス制御装置１２は、アイリス用モータドライバ１３、アイリス用モータ１４、アイリス１５から構成される。アイリス用モータドライバ１３は、システム制御部１１からの信号に基づき、アイリス用モータ１４を駆動する電圧及び電流を制御する。アイリス用モータ１４の駆動によりアイリス１５が調節されると、後述するＣＣＤ２７に入射する被写体光の光量が調節される。なお、システム制御部１１は、ＣＣＤ２７の出力信号の大きさに基づいてアイリス用モータドライバ１３に信号を送る。
【００１６】
アイリス用モータ１４は、駆動可状態または駆動不可状態のどちらかにシステム制御部１１によって設定される。駆動可状態は、システム制御部１１から駆動信号があればいつでもアイリス用モータ１４が駆動することができる状態である。アイリス用モータ１４が駆動可状態にあれば、光量は最適に調節される。一方、駆動不可状態は、システム制御部１１から駆動信号があってもアイリス用モータ１４は駆動することができない状態である。
【００１７】
フォーカス制御装置１９は、フォーカス用モータドライバ２０、フォーカス用モータ２１、フォーカス用レンズ２２から構成される。フォーカス用モータドライバ２０は、システム制御部１１からの信号に基づき、フォーカス用モータ２１を駆動する電圧及び電流を制御する。フォーカス用モータ２１によりフォーカス用レンズ２２が移動すると、ピントが調節される。なお、システム制御部１１は、後述するＣＣＤ２７の出力信号に基づいて画像のコントラストを評価しフォーカス用モータドライバ２０に信号を送る。
【００１８】
フォーカス用モータ２１は、アイリス用モータ１４と同様に駆動可状態または駆動不可状態のどちらかにシステム制御部１１によって設定される。駆動可状態は、システム制御部１１から駆動信号があればいつでもフォーカス用モータ２１が駆動することができる状態である。フォーカス用モータ２１が駆動可状態にあれば、ピントは最適に調節される。一方、駆動不可状態は、システム制御部１１から駆動信号があってもアイリス用モータ１４は駆動することができない状態である。
【００１９】
なお、図示していないが、フォーカス用レンズ２２の近傍には、ズーム用レンズ等も配置されており、これらのレンズによりレンズ群が形成されている。ズーム用レンズ等もシステム制御部１１からの指示により移動する。
【００２０】
ＣＣＤドライバ２６は、システム制御部１１からの信号に基づき、ＣＣＤ２７を駆動する。ＣＣＤ２７の感光面上では、被写体の光学像がレンズ群によって結像され電荷像となっている。ＣＣＤ２７が駆動されると、電荷像が一次元の撮像信号として出力される。
【００２１】
撮像信号は、アンプ回路２８に送られて適当なレベルに増幅された後、Ａ／Ｄ変換器２９によりデジタル変換され画像データとなる。画像データは、画像信号処理回路３０において、輪郭補正、ガンマ補正、ホワイトクリップ等の処理が行われる。画像データは、バッファメモリ３４に書き込まれた後、圧縮伸長処理回路４０に入力され、圧縮処理が行われる。圧縮処理が行われた画像データは、メディアコントローラ４１の駆動により記録メディア４２に保存される。
【００２２】
なお、撮影中、バッファメモリ３４に書き込まれている画像データは、画像再生処理回路３５に入力され、再生処理された後、ＬＣＤドライバ３６の駆動によりＬＣＤモニタ３７に画像として表示される。
【００２３】
デジタルカメラ２の周囲及び内部で発された音声は、マイク４６によって取得され音声信号に変換される。音声信号は、アンプ回路４７にて適当なレベルに増幅された後、ＡＬＣ（自動レベルコントローラ）４８に送られる。ＡＬＣ４８では、音声信号のレベルが許容された範囲内になるように制御される。音声信号は、レベル検出器４９に入力され、レベルを検出される。検出されたレベルは、システム制御部１１に送られ、時間平均値を算出される。このように、マイク４６が取得する環境音のレベルの時間平均値（以降、環境音レベルと略する）を算出することを、環境音レベル測定と呼ぶことにする。
【００２４】
環境音レベル測定は、電源をオンにしている状態のとき所定の時間間隔で行われる。環境音レベル測定により算出された環境音レベルは、バッファメモリ３４に書き込まれる。撮影前の環境音レベル測定により取得された複数の環境音レベルのうち、撮影開始直前に記録された環境音レベルを第１環境音レベルと呼ぶことにする。
【００２５】
デジタルカメラ２には、メモリ５２が組み込まれている。このメモリ５２には、フォーカス用モータ２１が駆動することにより、マイク４６が取得するフォーカス用モータ駆動音のレベルの時間平均値（以降、フォーカス音レベルと略する）、及びアイリス用モータ１４が駆動することにより、マイク４６が取得するアイリス用モータ駆動音のレベルの時間平均値（以降、アイリス音レベルと略する）が記録されている。フォーカス音レベル及びアイリス音レベルのメモリ５２への書き込みは、デジタルカメラ２の製造段階で行われる。
【００２６】
システム制御部１１では、バッファメモリ３４から読み出した第１環境音レベルと、メモリ５２から読み出したアイリス音レベル及びフォーカス音レベルとの大小を判定する。      
【００２７】
図２に示すように、アイリス音レベルより第１環境音レベルが大きいと判定されればアイリス用モータ１４を駆動可状態に、小さいと判定されれば駆動不可状態に設定する。また、フォーカス音レベルより第１環境音レベルが大きいと判定されれば、フォーカス用モータ２１を駆動可状態に、小さいと判定されれば駆動不可状態に設定する。これらの判定を第１判定と呼び、また、第１判定に基づく駆動状態設定を第１駆動状態設定と呼ぶことにする。第１駆動状態設定で設定された各モータ１４，２１の駆動状態は、撮影中ずっと継続される。よって、各モータ１４，２１の駆動状態は、撮影中は変化しない。なお、第１判定では、始めに第１環境音レベルとアイリス音レベルの比較を行い、次に第１環境音レベルとフォーカス音レベルとの比較を行っている。
【００２８】
音声信号は、レベルを検出された後、Ａ／Ｄ変換器５３に送られる。Ａ／Ｄ変換器５３によりデジタル変換された音声データは、音声信号処理回路５４に送られて各種信号処理が行われる。音声データは、バッファメモリ３４に書き込まれた後、画像データと関連づけられて記録メディア４２に保存される。
【００２９】
再生モード時においては、画像データ及び音声データが記録メディア４２から読み出される。画像データは、画像再生処理回路５５にてＤ／Ａ変換等の再生処理をされた後、ＬＣＤドライバ３６の駆動によりＬＣＤモニタ３７に画像として出力される。音声データは、音声再生処理回路５５にてＤ／Ａ変換等の再生処理をされた後、スピーカ５６にて音声として出力される。
【００３０】
以下、上記構成による作用について説明する。モード切換えスイッチ７を操作して動画モードに設定し、電源スイッチ４をオンにすると、ＬＣＤモニタ３７にスルー画が表示される。また、電源スイッチ４のオンに伴い、マイク４６が作動され環境音レベル測定が行われる。
【００３１】
レリーズボタン５を押圧すると、押圧の直前に記録された環境音レベルである第１環境音レベルが取得される。また、アイリス用モータ１４及びフォーカス用モータ２１が短時間だけ駆動して押圧時点での最適な露光量及びピントに調節される。各モータ１４，２１は、図２に示す第１判定に基づいて第１駆動状態設定が行われる。これらの動作の後に撮影が開始される。撮影中は動画及び音声が記録される。
【００３２】
アイリス用モータ１４は駆動可状態に設定されれば、システム制御部１１の駆動信号に基づいていつでも駆動される。駆動の際に駆動音が発生するが、環境音より音量が小さいことが多いため、駆動音は目立たないものとなる。一方、アイリス用モータ１４は駆動不可状態に設定されれば、システム制御部１１の駆動信号に関わらず駆動されることはない。駆動音が発生しないため、駆動音による音質の低下はない。なお、フォーカス用モータ２０もアイリス用モータ１４と同様である。
【００３３】
再度レリーズボタン５を押圧すると、マイク４６等は駆動を停止し、動画撮影は終了する。動画撮影によって得られた画像データ及び音声データは、記録メディア４２に保存される。
【００３４】
モード切替えスイッチ７を再生モードに設定し、ＬＣＤモニタ３７の表示に従って各種設定ボタン６を操作すると、記録メディア４２に保存された動画及び音声を再生することができる。画像データはＬＣＤモニタ３７に動画として表示され、音声データはスピーカ５６にて音声として出力される。
【００３５】
なお、上記実施形態では、アイリス用モータ１４及びフォーカス用モータ２１を用いたが、デジタルカメラ内部で駆動される他の駆動モータでもよい。例えば、記録メディアとして用いる小型のハードディスクにおいてディスクを回転させる駆動モータでもよい。また、上記実施形態では、デジタルカメラ２を用いたが、アナログビデオカメラ等に用いてもよい。
【００３６】
なお、上記実施形態では、撮影開始直前に記録された環境音レベルである第１環境音レベルを用いて第１判定を行い、第１判定に基づき撮影中の各モータ１４，２１の駆動状態が設定された。この場合、撮影中において各モータ１４，２１の駆動状態は変更されなかった。その替わりに、撮影中に逐次環境音を取得し、その環境音を用いて逐次判定を行い、その判定に基づき各モータ１４，２１の駆動状態を逐次設定するものでもよい。この場合、周囲の環境に応じて適宜駆動状態が変更されることとなる。
【００３７】
［第２実施形態］
第２実施形態においては、第１実施形態と同様の構成及び作用については説明を省略または簡略化する。まず、第２実施形態の構成を説明する。第２実施形態では、撮影中の環境音レベル測定の測定結果を用いて第２判定を行い、第２判定に基づき第２駆動状態設定を行う。第２駆動状態設定は、第１駆動状態設定に優先して短時間のみ適用されるものである。その他の構成は第１実施形態と同様である。
【００３８】
撮影中の環境音レベル測定により取得された環境音レベルは、バッファメモリ３４に書き込まれる。撮影中に取得された環境音レベルのうち、最新の環境音レベル（以降、第２環境音レベルと呼ぶ）が後述する第２判定に用いられる。第２環境音レベルは、順次更新されてゆく。
【００３９】
システム制御部１１では、バッファメモリ３４から読み出した第２環境音レベルと、メモリ５２から読み出したアイリス音レベル及びフォーカス音レベルとの大小を判定する。図４に示すように、アイリス音レベルより第２環境音レベルが大きいと判定されればアイリス用モータ１４を駆動可状態に、小さいと判定されれば駆動不可状態に設定する。また、フォーカス音レベルより第２環境音レベルが大きいと判定されれば、フォーカス用モータ２１を駆動可状態に、小さいと判定されれば駆動不可状態に設定する。これらの判定を第２判定と呼び、第２判定に基づく駆動状態設定を第２駆動状態設定と呼ぶことにする。第２判定は、撮影中に露光量が不適切になったり、ピントのずれ量が大きくなる場合に行われる。なお、第２判定では、始めに第２環境音レベルとアイリス音レベルの比較を行い、次に第２環境音レベルとフォーカス音レベルとの比較を行っている。
【００４０】
第２駆動状態設定は、第１駆動状態設定に優先して短時間のみ適用される。よって、第２駆動状態設定で設定された各モータ１４，２１の駆動状態は、所定の短期間のみ継続される。所定の短時間経過後は再び第１駆動状態設定により設定された駆動状態に戻る。
【００４１】
以下、上記構成による作用について説明する。図３に示すように、モード切替えスイッチ７を動画モードに設定して電源スイッチ４をオンにすると、撮影前の環境音レベル測定が行われる。レリーズボタン５を押圧すると、アイリス用モータ１４及びフォーカス用モータ２１は第１駆動状態設定で設定された駆動状態となる。
【００４２】
撮影中、システム制御部１１において露出量及びピントが適切と判断されていれば、各モータ１４，２１は第１駆動状態設定に基づいて駆動する。
【００４３】
システム制御部１１において露出量又はピントが不適切と判断されると、第２環境音が取得される。そして、第２判定に基づいて第２駆動状態設定が行われる。大きな第２環境音が取得されれば、第１駆動状態設定において駆動不可状態に設定されていても、第２駆動状態設定において駆動可状態に設定を変更されるため、各モータ１４，２１が駆動する。各モータ１４、２１の駆動により、露出量及びピントは適切なものとなる。各モータ１４，２１の駆動音は、環境音より小さいものであるため、目立たない。第２駆動状態設定による駆動状態が短時間適用されると、再び第１駆動状態設定による駆動状態に戻される。
【００４４】
その後、再び露出量及びピントが不適切になれば、上記と同様の動作が繰り返される。再度レリーズボタン５を押圧すると、マイク４６等は駆動を停止し、動画撮影は終了する。動画撮影によって得られた画像データ及び音声データは、記録メディア４２に保存される。
【図面の簡単な説明】
【００４５】
【図１】デジタルカメラの構成を示すブロック図である。
【図２】第１実施形態のデジタルカメラの動作の流れを示すフローチャートである。
【図３】第２実施形態のデジタルカメラの撮影前の動作の流れを示すフローチャートである。
【図４】第２実施形態のデジタルカメラの撮影中の動作の流れを示すフローチャートである。
【符号の説明】
【００４６】
２    デジタルカメラ
１１  システム制御部
１２  アイリス制御装置
１４  アイリス用モータ
１９  フォーカス制御装置
２１  フォーカス用モータ
３４  バッファメモリ
４６  マイク
４９  レベル検出器
５２  メモリ
【図１】
2005253010.tif 000003
【図２】
2005253010.tif 000004
【図３】
2005253010.tif 000005
【図４】
2005253010.tif 000006